(57)【要約】【課題】蛇口或いはシャワーヘッドなど給水器具を使用する時、水温が表示せき、不適な温度による火傷或いは不快を避けることができる水温感知装置を提供する。【解決手段】自己発電装置２が具備され、それによって直流電圧が発生されて他の装置を駆動させるように出力し、温度感知装置３があり、該自己発電装置２に連接し、且つ該自己発電装置２によって電気を提供されて駆動され、通過する水流の温度を感知して更に感知したシグナルを出力することができる。また、温度表示点灯装置４があり、それには過熱灯４０、過冷灯４１及び適温灯４２を設ける。前記自己発電装置２によって電気を提供されて駆動され、且つ、それは該温度感知装置３のシグナル出力端に連接され、自己発電装置２の自己発電によって温度感知装置３に電気が提供されて通過する水流の温度が検知され、更にシグナルを出力して温度表示点灯装置４を対応する水温灯が点灯するように駆動させる。【選択図】図１
0003138584.tif 000002
【実用新案登録請求の範囲】
【請求項１】
本体と、少なくとも一つの温度感知装置と、一つの温度表示点灯装置とを備えるシャワーヘッドや蛇口に取付ける水温感知装置であって、
該本体には一つの自己発電装置が設けてあり、それによって直流電圧が生じられ、その他の装置を駆動するために出力し、
該温度感知装置が該自己発電装置に連接し、且つ該自己発電装置によって電気を提供されて駆動され、通過する水流の温度を感知して、更に感知したシグナルを出力することができ、
該温度表示点灯装置には一つの過熱灯、一つの過冷灯及び一つの適温灯を設けるとともに、前記自己発電装置によって電気を提供されて駆動され、且つ該温度感知装置のシグナル出力端に連接される一方、
該温度感知装置によって通過する水流の温度が検知され、更にシグナルを出力して温度表示点灯装置を対応する水温灯が点灯するように駆動させることで、安全に水を使用すること及び汚染にならないような目的を実現させることを特徴とする、シャワーヘッドや蛇口に取付ける水温感知装置。
【請求項２】
前記自己発電装置は一種の水流発電機であって、ブレードを具備し、水流が通過するとき、前記ブレードを押して発電機を回転させて、更に直流電気に転換させることを特徴とする、請求項1に記載のシャワーヘッドや蛇口に取付ける水温感知装置。
【請求項３】
前記自己発電装置は一種の揺動発電構造であって、揺れたり動いたりすることによって電圧が発生し、更に電流を直流に転換させることを特徴とする、請求項1に記載のシャワーヘッドや蛇口に取付ける水温感知装置。
【請求項４】
前記自己発電装置は一種の太陽電池であって、太陽のエネルギーを吸収して電気エネルギーに転換させることを特徴とする、請求項1に記載のシャワーヘッドや蛇口に取付ける水温感知装置。
【考案の詳細な説明】
【技術分野】
【０００１】
本考案は水を使用する領域に関し、特に一種のシャワーヘッドや蛇口から出る水の温度を感知するシャワーヘッドや蛇口に取付ける水温感知装置に関する。
【背景技術】
【０００２】
一般としては手を洗ったりお風呂に入ったりするとき、我々はよく手で水の温度を適宜かどうか確認するので、もし流出する水の温度が高すぎると火傷になりやすいが、目下その問題に対して解決方案が未だに提出されていないため、実に克服して解決する必要がある。
【考案の開示】
【考案が解決しようとする課題】
【０００３】
本考案は上記の問題点を解決した一種のシャワーヘッドや蛇口に取付ける水温感知装置を提供することを課題とする。
【課題を解決するための手段】
【０００４】
上記課題を解決するため、本考案に係るシャワーヘッドや蛇口に取付ける水温感知装置は一つの自己発電装置が設けてあり、それによって直流電圧が発生されてその他の装置を駆動させるように出力し；一つの温度感知装置があり、それは該発電装置に連接し、且つ該自己発電装置によって電気を提供されて駆動され、それは通過する水流の温度を感知して更に感知したシグナルを出力することができ、
一つの温度表示点灯装置があり、それには一つの過熱灯、一つの過冷灯及び一つの適温灯を設けるようにし、それは前記の自己発電装置によって電気を提供されて駆動され、且つ、それは該温度感知装置のシグナル出力端に連接され；自己発電装置の自己発電によって温度感知装置に電気が提供されて通過する水流の温度が検知され、更にシグナルを出力して温度表示点灯装置を対応する水温灯が点灯するように駆動させることで、安全に水を使用すること及び汚染にならないような目的を実現させるものである。
【考案の効果】
【０００５】
本考案によって水温が表示できるため、火傷或いは過冷など不適な温度を避けることが実現でき、且つ自己発電装置を利用して電気を提供することで環境に汚染などもたらすことがない。
【考案を実施するための最良の形態】
【０００６】
図1を参考されたい。該水温感知装置（1）には本体（10）があり、該本体（10）には一つの自己発電装置（2）があり、それは電圧を生じて更にその他の装置を駆動させるように出力して提供する。
【０００７】
その中において、該自己発電装置（2）とは一種の水流発電機（20）であるほうが望ましく、それはブレード（200）があるため、水流が通過するとき、ブレード（200）を押して発電機を回動させて更に直流に転換させることができる。
【０００８】
一つの温度感知装置（3）があり、それは該自己発電装置（2）に連接してまた該自己発電装置（2）によって電気を供給されて駆動され、通過の水流の温度を感知して、更に感知したシグナルを出力することができ；一つの温度表示点灯装置（4）があり、それには一つの過熱灯（40）、一つの過冷灯（41）、及び一つの適温灯（42）が設けてあり、それは前記の自己発電装置（2）によって電気を提供されて駆動され、且つ、それは該温度感知装置（3）のシグナル出力端に連接される。
【０００９】
図２は本考案をシャワーヘッド（5）に取付けるときの関係位置のイメージ図であり、図３は図２を組立てる外観図であり、それはシャワーヘッド（5）の本体（50）と散水盤（51）との間に取り付けられ；図４は本考案を蛇口（6）に取付けるときの関係位置のイメージ図であり；図５は図４を組立てる外観図であり、それは蛇口（5）の出水口に取付けるものである。
【００１０】
水流が本考案を通過するとき、水流に押されて該自己発電装置（2）が発電して、且つ直流電（図６を参考）に転換して該温度感知装置（3）及び温度表示点灯装置（4）を駆動させるように供給し、該温度感知装置（3）によって水の温度が感知でき、更に感知したシグナルを該温度表示点灯装置（4）に出力し；水温が過熱する場合、過熱灯（40）が点灯し、我々に水温が高すぎて火傷になる恐れがあるように知らせ；水温が過冷する場合、過冷灯（41）が点灯し、我々に水温が低すぎることを知らせ；水温が適当である場合、適温灯（42）が点灯し、我々に水温が適当になっていると知らせてくれるため、それによって手で水温を確かめる場合、火傷になる危険が避けられ、安全に水を使う目的に達すのである。
【００１１】
また、該自己発電装置（2）は一種の揺動発電構造であってもよく、揺れたり動いたりすることによって電流が発生し、且つ直流に転換させることができ、或いは太陽電池を取り付け、太陽のエネルギーを吸収して電気エネルギーに転換させることも本考案において実施可能の方式である。
【図面の簡単な説明】
【００１２】
【図１】本考案の構造を組み立てるイメージ図
【図２】本考案をシャワーヘッドに取付ける場合の関係位置のイメージ図
【図３】本考案の図面2を組立てる外観図
【図４】本考案を蛇口に取付ける関係位置のイメージ図
【図５】本考案の図面4を組立てる外観図
【図６】本考案の発電装置を応用するイメージ図
【符号の説明】
【００１３】
１      水温感知装置
１０    本体
２      自己発電装置
２０    水流発電機
２００  ブレード
３      温度感知装置
４      温度表示点灯装置
４０    過熱灯
４１    過冷灯
４２    適温灯
５      シャワーヘッド
５０    本体
５１    散水盤
６      蛇口
【図１】
0003138584.tif 000003
【図２】
0003138584.tif 000004
【図３】
0003138584.tif 000005
【図４】
0003138584.tif 000006
【図５】
0003138584.tif 000007
【図６】
0003138584.tif 000008